(57)【要約】【課題】操作が困難な歌唱中のユーザにおいて、ソーシャルネットワークサービスに歌唱状況を投稿可能とする。【解決手段】本発明に係るカラオケ装置は、演奏手段による演奏処理の実行中、メッセージを表示手段に表示させ、表示された前記メッセージ中、入力手段にて指定されたメッセージを、楽曲を指定したユーザのソーシャルネットワークサービスのアカウントに投稿送信する投稿処理を実行可能とすることを特徴とする。【選択図】図１０
2014149384.tif 000002
【特許請求の範囲】
【請求項１】
演奏情報を演奏可能な演奏手段と、
ユーザをログインさせるログイン処理と、
ログインしたユーザと演奏する楽曲を対応付けて指定する指定処理と、
前記指定処理にて指定された楽曲に対応する演奏情報を演奏手段に演奏させる演奏処理と、
前記演奏処理の実行中、メッセージを表示手段に表示させ、表示された前記メッセージ中、入力手段にて指定されたメッセージを、楽曲を指定したユーザのソーシャルネットワークサービスのアカウントに投稿送信する投稿処理と、を実行可能な制御手段と、を備えたことを特徴とすることを特徴とする
カラオケ装置。
【請求項２】
前記投稿処理にて表示するメッセージは、指定された楽曲もしくは歌唱状況に関連する情報を含むことを特徴とする
請求項１に記載のカラオケ装置。
【請求項３】
前記投稿処理は、指定されたメッセージとともに、指定された楽曲もしくは歌唱状況に関連する情報を投稿送信することを特徴とする
請求項１または請求項２に記載のカラオケ装置。
【請求項４】
前記投稿処理は、前記演奏処理の演奏に同期して前記表示手段に表示させるメッセージを変更することを特徴とする
請求項１から請求項３の何れか１項に記載のカラオケ装置。
【請求項５】
前記投稿処理は、前記演奏処理の演奏の進行に伴い、前記表示手段に表示させているメッセージの表現を変更することを特徴とする
請求項１から請求項４の何れか１項に記載のカラオケ装置。
【請求項６】
前記投稿処理は、前記メッセージを消去する際、当該メッセージをフェードアウトさせることを特徴とする
請求項４または請求項５に記載のカラオケ装置。
【請求項７】
前記投稿処理は、同時に複数のメッセージを前記表示手段に表示させることを特徴とする
請求項１から請求項６の何れか１項に記載のカラオケ装置。
【発明の詳細な説明】
【技術分野】
【０００１】
本発明は、楽曲の演奏に合わせて歌唱を楽しむことのできるカラオケ装置に関し、特に、ソーシャルネットワークサービスに対して歌唱状況を投稿することのできるカラオケ装置に関する。
【背景技術】
【０００２】
従来、スナックやカラオケボックスなどにおいて歌唱を楽しむカラオケは、一緒に同席する仲間等と社交の場を形成するものとして知られている。現在、携帯電話など各種情報端末が常時、通信接続された状態にある中、ソーシャルネットワークサービス（ＳＮＳ）なるサービスが人気を集めている。このソーシャルネットワークサービスでは、登録したユーザが発信した情報（メッセージ）を略リアルタイムで配信することが可能であり、現在、何をしている等といったメッセージを伝えることが可能である。
【０００３】
カラオケ装置においてもこのようなソーシャルネットワークサービスの利用が検討されている。特許文献１には、対象となる利用者が所在する地点から所定範囲内においてカラオケ装置を利用している他の利用者をフレンド登録可能な通信カラオケシステムが開示されている。また、特許文献２には、カラオケ演奏に際して撮影された写真を用いてウェブページを自動作成する通信カラオケシステムが開示されている。
【先行技術文献】
【特許文献】
【０００４】
【特許文献１】特開２０１２−１８５３８２号公報
【特許文献２】特開２０１１−１７５１７０号公報
【発明の概要】
【発明が解決しようとする課題】
【０００５】
特許文献１、特許文献２に開示されるカラオケシステムは、何れもソーシャルネットワークサービスを利用したものであり、利用するユーザ間でのコミュニケーションを図ることを目的としたものである。ところで、ソーシャルネットワークサービスでは、現在行っていることをリアルタイムに発言することがある。カラオケを楽しむ場においても、歌唱者が今、歌唱している状況を他のユーザに発信することが考えられる。しかしながら、ソーシャルネットワークで発信するには、メッセージを入力する必要があり、マイクを手に持ちながら歌唱している状況下においては、キーボードを手の指先で叩いて任意のメッセージを入力することは困難である。
【０００６】
本発明は、このような歌唱状況下にあるユーザがソーシャルネットワークにメッセージを容易に発信することのできるカラオケ装置を提供することを目的とするものである。
【課題を解決するための手段】
【０００７】
そのため、本発明に係るカラオケ装置は以下の構成を採用するものである。
演奏情報を演奏可能な演奏手段と、
ユーザをログインさせるログイン処理と、
ログインしたユーザと演奏する楽曲を対応付けて指定する指定処理と、
前記指定処理にて指定された楽曲に対応する演奏情報を演奏手段に演奏させる演奏処理と、
前記演奏処理の実行中、メッセージを表示手段に表示させ、表示された前記メッセージ中、入力手段にて指定されたメッセージを、楽曲を指定したユーザのソーシャルネットワ
ークサービスのアカウントに投稿送信する投稿処理と、を実行可能な制御手段と、を備えたことを特徴とすることを特徴とする。
【０００８】
さらに本発明に係るカラオケ装置において、
前記投稿処理にて表示するメッセージは、指定された楽曲もしくは歌唱状況に関連する情報を含むことを特徴とする。
【０００９】
さらに本発明に係るカラオケ装置において、
前記投稿処理は、指定されたメッセージとともに、指定された楽曲もしくは歌唱状況に関連する情報を投稿送信することを特徴とする。
【００１０】
さらに本発明に係るカラオケ装置において、
前記投稿処理は、前記演奏処理の演奏に同期して前記表示手段に表示させるメッセージを変更することを特徴とする。
【００１１】
さらに本発明に係るカラオケ装置において、
前記投稿処理は、前記演奏処理の演奏の進行に伴い、前記表示手段に表示させているメッセージの表現を変更することを特徴とする
【００１２】
さらに本発明に係るカラオケ装置において、
前記投稿処理は、前記メッセージを消去する際、当該メッセージをフェードアウトさせることを特徴とする。
【００１３】
さらに本発明に係るカラオケ装置において、
前記投稿処理は、同時に複数のメッセージを前記表示手段に表示させることを特徴とする。
【発明の効果】
【００１４】
本発明に係るカラオケ装置によれば、演奏処理中、表示手段に表示されたメッセージの中から、自分の感情に適したメッセージを指定することで、歌唱中の状況下にあるユーザが容易にソーシャルネットワークサービスに自分のメッセージを投稿することが可能になる。また、演奏される楽曲は、歌唱するユーザに対応付けられているため、投稿するメッセージは当該ユーザのアカウントに対して投稿される。
【００１５】
さらに、本発明に係るカラオケ装置によれば、メッセージ中に指定された楽曲、あるいは、歌唱状況に関連する情報を含めておくことで、歌唱している楽曲の楽曲名、歌手名などを投稿送信し、現在歌唱している楽曲に関連する情報を他のユーザに伝えることが可能となる。
【００１６】
さらに、本発明に係るカラオケ装置によれば、指定された楽曲、あるいは、歌唱状況に関連する情報に関連する情報とともに、メッセージを投稿することで、歌唱している楽曲の楽曲名、歌手名などを投稿送信し、現在歌唱している楽曲に関連する情報を他のユーザに伝えることが可能となる。
【００１７】
さらに、本発明に係るカラオケ装置によれば、演奏処理の演奏に同期して表示手段に表示させるメッセージを変更することで、例えば、「現在、サビを歌唱しています。」等、演奏の進行に適したメッセージを投稿することが可能となる。
【００１８】
さらに、本発明に係るカラオケ装置によれば、演奏処理の演奏に同期してメッセージの表現を変更することで、ソーシャルネットワークサービスへ投稿する情報のリアルタイム
性を確保することが可能となる。
【００１９】
さらに、本発明に係るカラオケ装置によれば、メッセージを消去するとき、当該メッセージをフェードアウトさせることで、ユーザに対してメッセージの表示期間終了を視覚的に確認させることが可能となる。
【００２０】
さらに、本発明に係るカラオケ装置によれば、同時に複数のメッセージを表示手段に表示させることで、ユーザは、複数のメッセージの中から自分の感情にあったメッセージを選択して投稿することが可能となる。
【図面の簡単な説明】
【００２１】
【図１】本発明の実施形態に係るカラオケシステムを示す図
【図２】本発明の実施形態に係るトップ画面を示す図
【図３】本発明の実施形態に係るユーザ情報を示す図
【図４】本発明の実施形態に係るユーザに対するサービス処理を示す図
【図５】本発明の実施形態に係る利用ユーザトップ画面を示す図
【図６】本発明の実施形態に係る楽曲確認画面を示す図
【図７】本発明の実施形態に係るカラオケ装置のメイン処理を示すフロー図
【図８】本発明の実施形態に係るカラオケ装置の演奏処理を示すフロー図
【図９】本発明の実施形態に係るメッセージ情報のデータ構成を示す図
【図１０】本発明の実施形態に係る演奏処理時におけるカラオケ装置、モニタの様子を示す図
【図１１】本発明の他の実施形態に係る演奏処理時におけるカラオケ装置、モニタの様子を示す図
【図１２】本発明の他の実施形態に係るモニタ装置の様子を示す図
【図１３】本発明の他の実施形態に係るカラオケ装置の演奏処理を示すフロー図
【図１４】本発明の他の実施形態に係るメッセージ情報のデータ構成を示す図
【図１５】本発明の他の実施形態に係るメッセージ表示について説明するための図
【図１６】本発明の他の実施形態に係るメッセージ情報のデータ構成を示す図
【発明を実施するための形態】
【００２２】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２３】
カラオケボックスなどの店舗に設置されるカラオケ装置２は、楽曲を演奏するための演奏手段として音響制御部７０を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００２４】
また、カラオケ装置２は、モニタ４１に対して歌詞映像、背景映像を表示させる映像再生手段を備える。この映像再生手段は、映像情報に基づいて映像を再生する映像再生部２
９、再生する映像を一時的に蓄積するビデオＲＡＭ２８、再生された映像に対して歌詞テロップを重畳したり、映像効果を付与する映像制御部３１を備えて構成される。
【００２５】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２６】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２７】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２８】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００２９】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。リモコン装置１は、リモコン側表示手段としての表示部１１と、ユーザからの各種入力を受け付ける操作部１７とを備える。また、リモコン装置１は、アクセスポイント１１０に無線接続し、ネットワークに加入するためのリモコン側通信手段としての無線ＬＡＮ通信部１６を備える。
【００３１】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００３２】
また、リモコン装置１は、無線ＬＡＮ通信部１６によって、アクセスポイント１１０と
無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
【００３４】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００３５】
本実施形態のカラオケシステムは、複数のユーザが各リモコン装置１のタッチパネル表示画面から必要な情報（後述するユーザ識別情報やパスワード）を入力し、ログインすることが可能となっている。ユーザのログインに関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３６】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００３７】
図３は、各ユーザ毎に、ホスト５に記憶されているユーザ情報を説明するための図である。本実施形態では、ユーザ情報として、個人情報、マイうたテーブル、マイアーティストテーブルといった、ユーザに関する各種情報を含んで構成される。ユーザ情報は、カラオケ用ホストの記憶部に予め記憶されている。また、ユーザ情報には、ユーザがリモコン装置１からカラオケ用ホスト５へログインしてこれら情報を利用するためのユーザ識別情報、パスワードが対応付けられている。個人情報には、ユーザ名（実際の名前に限ったものでなく、ニックネームであってもよい）、性別、年齢、うた年齢、居住地、趣味などを含んで構成される。これら各種情報は、リモコン装置１、あるいは、インターネットなどのネットワークに接続された図示しないパーソナルコンピュータ、携帯情報端末などにてログインして設定することも可能である。リモコン装置１とカラオケ装置２との対応付け（通称、くくりつけ）が、予め完了されていれば、リモコン装置１の操作部１７から入力された各種情報をカラオケ装置２へ送付し、カラオケ装置２からホスト５へログインしてもよい。
【００３８】
特に、本実施形態の個人情報には、歌唱状況をソーシャルネットワークサービス（以下、「ＳＮＳ」と略して表記する）に投稿するため、当該ＳＮＳのアカウント情報が含まれている。このアカウント情報には、ＳＮＳにおけるユーザ識別情報（ＳＮＳ_ＩＤ）と、
ログインするためのパスワード（ＳＮＳ_パスワード）を含んで構成されている。この本
実施形態のように、個人情報にＳＮＳのアカウント情報を登録している場合、リモコン装置１、又はカラオケ装置２からホスト５へのログインすると、ホスト５においては、ログインしたユーザのユーザ情報から、ＳＮＳのアカウント情報を抽出する。そして抽出したＳＮＳのアカウント情報と、ログインの認証結果（許可）とが、ログインしたユーザが使用するリモコン装置１やカラオケ装置２へ送付されるため、リモコン装置１、又はカラオケ装置２から、楽曲の予約、演奏とともに、抽出されたアカウント情報に基づいてＳＮＳにもログインしてメッセージを投稿、並びに、返信の受信を行うことが可能となる。ＳＮＳとしては、現在、Ｔｗｉｔｔｅｒ、Ｆａｃｅｂｏｏｋ（両方とも登録商標）など、複数のＳＮＳサービスが提供されている。
【００３９】
本実施形態のカラオケ装置２では、複数のＳＮＳを利用可能としてもよい。その場合、個人情報には、ＳＮＳ毎にアカウント情報が記憶され、登録している全てのＳＮＳ、もしくは、ユーザによって選択されたＳＮＳに対して投稿が実行される。また、ユーザによってはカラオケサービスで使用するユーザ情報中にＳＮＳのアカウント情報（特に、パスワード）を記憶させたくない場合もある。そのような場合には、カラオケシステムにログインする毎に、ＳＮＳでのユーザ識別情報及びパスワード、また、個人情報にＳＮＳのユーザ識別情報が登録されている場合には、ＳＮＳのパスワードの入力を促し、ＳＮＳへログインさせることとしてもよい。
【００４０】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００４１】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００４２】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００４３】
図４は、このユーザ情報の送受信の様子を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をカラオケ用ホスト５に送信し（Ｓ１０２）、識別情報を受信したカラオケ用ホスト５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００４４】
ユーザ情報を受信したカラオケ装置２側では（Ｓ１０３）、受信したユーザ情報に基づいて、選曲処理、演奏処理など各種サービス処理が提供される（Ｓ１０４）。ユーザによりログアウトが要求される（Ｓ１０５）とサービス処理を中断し、サービス処理中におけ
る各種履歴（ログ）、あるいは、ユーザによる設定変更を反映したユーザ情報をカラオケ用ホスト５に送信する（Ｓ１０６）。ここで、ユーザ情報は、全ての情報を送信することの他、更新された差分だけを送信してもよい。ユーザ情報を受信したカラオケ用ホスト５では（Ｓ１２３）、受信したユーザ情報に基づいて記憶部１に記憶されたデータベースの更新を実行する（Ｓ１２４）。
【００４５】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（以下、「アクティブユーザ」という）を切り替えて使用することが可能となっている。
【００４６】
図５は、本発明の実施形態に係るアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００４７】
アクティブユーザとして楽曲を選択した場合、図６に示される楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。キー設定右下の「変更」ボタンを操作することで、音程設定用の画面が表示され音程調整値を設定することができる。
【００４８】
この楽曲確認画面にて「予約」ボタンが操作されると、リモコン装置１からカラオケ装置２に対してユーザ識別情報、楽曲識別情報、音程調整値などを含む予約情報が送信される。受信したカラオケ装置２では、予約情報を予約テーブルに順次追加して、演奏処理を実行する。
【００４９】
図７には、本発明の実施形態に係るカラオケ装置２で実行されるメイン処理を示すフロー図が示されている。カラオケ装置２の電源投入後、演奏処理が開始されると、予約テーブルをチェック（Ｓ２０１）し、次に演奏する楽曲の有無が判定される（Ｓ２０２）。予約テーブル中、次に演奏する楽曲が有りと判定された場合（Ｓ２０２：Ｙｅｓ）には、演奏処理（Ｓ３００）を実行する。
【００５０】
図８は、本発明の実施形態に係るカラオケ装置２で実行される演奏処理（図７のＳ３００）である。予約テーブル中、次に演奏すべき楽曲が有りと判定された場合、カラオケ装置２の制御部３０は、予約情報中、楽曲識別情報に該当する楽曲情報を読み出し、楽曲情報に含まれる演奏情報を演奏手段としての音響制御部７０に演奏させる（Ｓ３０１）。この演奏処理と同期して楽曲情報内の歌詞情報をモニタ４１に表示させる歌詞表示処理も実行される。
【００５１】
本実施形態では、この演奏処理の実行中、歌唱状況をＳＮＳに投稿する投稿処理が実行される。ＳＮＳではユーザを特定するためログインする必要がある。本実施形態では、図３の個人情報中にＳＮＳのアカウント情報（ＳＮＳ_ＩＤとＳＮＳ_パスワード）を記憶しておくことで、カラオケシステムにログインした際、ＳＮＳにもログインすることとして
いる。演奏処理にて演奏される楽曲は、予約情報に含まれるユーザ識別情報にて歌唱するユーザを特定することが可能である。したがって、各楽曲毎の演奏処理では、歌唱するユーザに対応付けられたＳＮＳ並びにアカウントが投稿対象として特定される。なお、ユーザ情報を有していないゲストユーザの場合には、演奏処理毎にＳＮＳにログインして投稿を行うようこととしてもよい。
【００５２】
図９は本発明の実施形態に係るメッセージ情報のデータ構成を示す図である。このメッセージ情報は、カラオケ装置２のＨＤＤ３２などの記憶手段に複数記憶されている。本実施形態では、キーボートなどの入力手段でメッセージを入力させることなく、タッチパネルモニタ３３に表示されるメッセージを選択（タッチ入力）するという簡単な操作でＳＮＳへの投稿を可能としている。したがって歌唱用マイク４４を手に持って歌唱しているユーザであっても歌唱している状況を簡易に、かつ、リアルタイムで投稿することが可能である。本実施形態のメッセージ情報は、カラオケ装置２で演奏可能な複数の楽曲に共通して使用可能なデータ構成を採用している。本実施形態のメッセージ情報は、開始タイミング、終了タイミング、メッセージ内容を含んで構成される。
【００５３】
開始タイミング、終了タイミングは、楽曲の進行に対応付けられたタイミング情報であり、演奏開始からの時間、あるいは、演奏開始からのＭＩＤＩクロック数など演奏の進行を示す各種情報を仕様することが可能である。楽曲の演奏区間（前奏、Ａメロ、Ｂメロ、サビ、後奏）などと対応付けてメッセージを表示させたい場合には、演奏情報の各演奏区間を示す開始タイミング、終了タイミングとすることとなる。この場合、予め演奏情報に現在の演奏区間を示す区間情報を含ませておき、区間情報の出力に応じて現在の演奏区間を判定し、メッセージ情報中の開始タイミング、終了タイミングを判定することで、各演奏区間に応じたメッセージ内容を表示させることが可能である。なお、この開始・終了タイミングを使用しない形態とすることとしてもよい。その場合、１つの楽曲を通じてメッセージ内容を表示することや、１つの楽曲の適宜期間毎にランダムにメッセージ内容を表示させること等が考えられる。
【００５４】
メッセージ内容は、メッセージの文章、絵文字、画像情報などで構成されている。図には各種メッセージ内容の例が示されている。この例においてカギ括弧『』で示される欄内には、現在演奏中の楽曲や歌唱状況に関連する情報が入力されて表示される。例えば、「楽曲名」の欄内には現在、演奏中の楽曲名が表示され、「アーティスト名」の欄内には現在、演奏中の楽曲に対応するアーティスト名（歌手名）が表示される。また、「採点情報」の欄内には、カラオケ装置２の採点機能にて採点された採点情報が入力されて表示される。本実施形態では、このように定型のメッセージ内容中、現在演奏中の楽曲に関連する情報を入力して表示することとしている。このように楽曲や歌唱状況に関連する情報としては、楽曲名、歌手名、採点情報の他、歌唱している場所や店名、同時にログインしているユーザ名、その日に歌唱した楽曲数などを使用することが考えられる。なお、楽曲や歌唱状況に関連する情報は、メッセージ内容に含めずに、送信するメッセージ内容に付帯させ、受信した側で閲覧できるように構成してもよい。
【００５５】
本実施形態では、このようにメッセージ情報を複数の楽曲で使用可能な汎用性のある形態としているが、メッセージ情報は、各楽曲毎に設けることとしてもよい。その場合、メッセージ情報には楽曲識別情報が付与され、演奏処理では楽曲に対応するメッセージ情報が使用される。このような形態では、メッセージの表示、終了タイミングや、メッセージ内容を各楽曲毎に適したものとすることが可能となる。
【００５６】
図８の演奏処理に戻り、Ｓ３０１での演奏開始後、制御部３０は、演奏している楽曲について、ＨＤＤ３２に記憶されている表示すべきメッセージ情報中の開始タイミングを監視し（Ｓ３０２）、開始タイミングに基づいて表示すべきメッセージ情報の有無を判定す
る（Ｓ３０３）。表示すべきメッセージ情報が有りと判定された場合（Ｓ３０３：Ｙｅｓ）には、当該メッセージ情報中のメッセージ内容に基づき、表示手段にメッセージを表示させる（Ｓ３０４）。本実施形態では、メッセージの表示手段としてタッチパネルモニタ３３を採用しているが、この表示手段には、このタッチパネルモニタ３３の他、カラオケ装置２に接続されたモニタ４１、リモコン装置１の表示部１１等を使用することも可能である。
【００５７】
図１０には本発明の実施形態に係る演奏処理時におけるカラオケ装置２、モニタの様子が示されている。モニタ４１には、歌詞表示領域Ａが設けられており、カラオケ演奏背景に重畳して歌唱すべき歌詞が表示される。カラオケ装置２のタッチパネルモニタ３３には、メッセージ表示枠Ｂ内にメッセージ情報中のメッセージ内容で構成されたメッセージが表示される。タッチパネルモニタ３３内で説明するように、このメッセージ表示枠Ｂを選択（タッチ）すること（Ｓ３０６：Ｙｅｓ）で、表示枠Ｂ内に表示されているメッセージが歌唱するユーザのアカウントでＳＮＳに投稿される（Ｓ３０７）。投稿されたメッセージは、タッチパネルモニタ３３から消去される（Ｓ３０８）。このような投稿処理を実行することで、歌唱状況をＳＮＳに投稿することが可能となる。
【００５８】
このように本実施形態では、タッチパネルモニタ３３に表示されるメッセージをタッチ入力するという簡単な操作で、歌唱状況をリアルタイムにＳＮＳに投稿することが可能となっている。メッセージの表示対象としてモニタ４１やリモコン装置１の表示部１１を使用した場合には、操作部２１、１７を操作することでメッセージが選択されＳＮＳへの投稿が実行される。
【００５９】
本実施形態では、１度に１つのメッセージを表示させる形態としているが、１度に複数のメッセージを表示させる形態を採用することも可能である。図１１には、本発明の他の実施形態に係る演奏処理時におけるカラオケ装置、モニタの様子が示されている。この実施形態では、タッチパネルモニタ３３に同時に複数のメッセージ表示枠Ｂ１、Ｂ２を表示して、複数のメッセージを選択可能としている。ユーザは表示されるメッセージ中、現在の感情や歌唱状況に即したメッセージを選択して投稿することが可能である。
【００６０】
図１２は、本発明の他の実施形態に係るモニタ４１の表示例である。タッチパネルモニタ３３にタッチすることで投稿されたメッセージはモニタ４１に表示させることとしてもよい。投稿メッセージ表示領域Ｃには、投稿したメッセージが表示される様子が示されている。また、ＳＮＳでは投稿したメッセージに対して返信を行うことが可能である。この実施形態では、投稿メッセージ表示領域Ｃに対応する位置に返信メッセージ表示領域Ｄを設け、投稿メッセージに返信された返信メッセージを表示させている。ＳＮＳでは投稿メッセージに対して即時に返信が行われることもある。このように、投稿メッセージに対する返信メッセージを表示することで歌唱者、並びに、同席者などのユーザは、外部のユーザとのコミュニケーションを楽しむことも可能となる。
【００６１】
図１３は、本発明の他の実施形態に係るカラオケ装置の演奏処理を示すフロー図である。本実施形態は、図８の演奏処理とメッセージの表示形態において異なった形態となっている。また、図１４には、この実施形態で使用されるメッセージ情報のデータ構成が示されている。本実施形態のメッセージ情報は、図９で説明したメッセージ情報と同様、開始、終了タイミング、通常時に表示する第１のメッセージ内容の他、フェードアウト時に表示する第２のメッセージ内容を有して構成されている。この第２のメッセージ内容は、第１のメッセージ内容とその表現が異なる内容となっている。具体的には、第１のメッセージ内容が『「楽曲名」のＡメロ歌唱中！』というように現在の状況を示す表現であるのに対し、第２のメッセージ内容は『「楽曲名」のＡメロ歌い終わったよ！』というように第１のメッセージ内容と内容は同じであるが、過去の状況を示す表現となっている。
【００６２】
演奏処理にて演奏が開始された（Ｓ３０１）後、メッセージ情報中の表示開始タイミングがチェック（Ｓ３０２）され、表示すべきメッセージ情報の有無が判定される（Ｓ３０３）。表示すべきメッセージ情報有りと判定された場合（Ｓ３０３：Ｙｅｓ）には、当該メッセージ情報に含まれる第１のメッセージ内容をフェードイン表示させる（Ｓ３１４）。なお、このフェードイン表示は必ずしも行う必要は無く、前述の実施形態と同様に表示開始タイミングで表示させることとしてもよい。
【００６３】
メッセージの表示期間中においてメッセージが選択された場合（Ｓ３１６：Ｙｅｓ）には、表示されているメッセージは、歌唱するユーザのアカウントでＳＮＳに投稿される（Ｓ３１７）。メッセージの投稿後、当該メッセージを消去（Ｓ３１８）して、Ｓ３０２に戻り、次の開始タイミングを待つ。
【００６４】
一方、メッセージの表示期間中、表示させたメッセージの消去タイミングが判定された場合（Ｓ３１５：Ｙｅｓ）には、まず、表示されている第１のメッセージ内容を同じメッセージ情報に含まれる第２のメッセージ内容に変更する（Ｓ３１９）。このようにメッセージ内容を第１から第２のものへ変更することで、メッセージの表現が変更されることになる。特に、本実施形態では、図１４で説明したように現在の状況を示す第１のメッセージ内容から、過去の状況を示す第２のメッセージ内容に表現を変更することで、リアルタイム性を有するメッセージを投稿することが可能となる。
【００６５】
さらに、メッセージをフェードアウトさせる（Ｓ３２０）ことで、ユーザに対してメッセージが選択不可能になりつつある状況を告知するとともに、選択しようとしたメッセージがいきなり消去されるという不都合を解消したものとなっている。このフェードアウト期間中にメッセージが選択された場合（Ｓ３２１：Ｙｅｓ）には、表現変更されたメッセージ（第２のメッセージ内容）をＳＮＳに投稿し、選択されたメッセージを消去する（Ｓ３１８）。一方、フェードアウト終了（Ｓ３２３：Ｙｅｓ）までメッセージが選択されなかった場合には、Ｓ３０２に戻り、次の開始タイミングを待つ。
【００６６】
図１５には、図１３で説明した演奏処理におけるメッセージ表示の一例が示されている。図１５は、時間軸を右方向に取ることで演奏の進行、並びに、その演奏区間を示したものである。図１５にて例示するメッセージは、Ａメロ期間中に表示されるメッセージであって、Ａメロの開始と終了に対して、メッセージの開始タイミングと終了タイミングが規定されている。Ａメロの開始と同期してメッセージ情報中、第１のメッセージ内容である『「楽曲名」のＡメロ歌唱中！』が表示される。なお、本実施形態では、第１のメッセージ内容をフェードイン表示させることとしている。このメッセージは、選択されない限りＡメロの終了時まで表示される。
【００６７】
Ａメロが終了した後、第１のメッセージ内容は第２のメッセージ内容である『「楽曲名」のＡメロ歌い終わったよ！』に置き換えられることで、その表現が変更される。この第２のメッセージ内容は、フェードアウトで表示され、そのフェードアウト期間中、ユーザは当該メッセージを選択することが可能である。このように本実施形態では、メッセージ内容をフェードアウトさせることで、ユーザに対してメッセージが選択不可能になりつつある状況を告知するとともに、選択しようとしたメッセージがいきなり消去されるという不都合を解消した形態となっている。また、メッセージの表現を変更することで、投稿するメッセージが歌唱状況にリアルタイムに追従したものとなっている。
【００６８】
本実施形態では、図１５で説明したように第１のメッセージ内容と第２のメッセージ内容を使用することで、メッセージの表現を変更することとしているが、メッセージの表現変更は、他の形態を採用することも可能である。図１６は、本発明の他の実施形態に係る
メッセージ情報のデータ構成を示す図である。このメッセージ情報は、メッセージ内容として基本メッセージ内容、通常表現、フェードアウト時表現で構成されている。このメッセージ情報では、基本メッセージ内容と通常表現とを組み合わせて通常時のメッセージを構成し、基本メッセージ内容とフェードアウト時表現とを組み合わせてフェードアウト時のメッセージを構成することが可能である。
【００６９】
具体的には、基本メッセージ内容が『「楽曲名」のＡメロ』、通常表現が『歌唱中！』、フェードアウト時表現が『歌い終わったよ！』とした場合、基本メッセージ内容と通常表現を組み合わせて通常時のメッセージである『「楽曲名」のＡメロ歌唱中！』が構成され、基本メッセージ内容とフェードアウト時表現を組み合わせてフェードアウト時のメッセージである『「楽曲名」のＡメロ歌い終わったよ！』が構成される。基本メッセージ内容と、通常表現もしくはフェードアウト時表現の組み合わせは、このような順序の組み合わせに限られるものではなく各種形態を採用することが可能である。メッセージの表現変更は、このような形態の他、メッセージを文法規則に基づいて変更するなど各種形態を採用することが可能である。
【００７０】
なお、本発明はこれらの実施形態のみに限られるものではなく、それぞれの実施形態の構成を適宜組み合わせて構成した実施形態も本発明の範疇となるものである。
【符号の説明】
【００７１】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ＨＤＤ（ハードディスク）、３３…タッチパネルモニタ、３４…タッチパネル、３５…表示部、４１…モニタ、４２…スピーカ、４４ａ、４４ｂ…歌唱用マイク、１００…ＬＡＮ、１１０…アクセスポイント、１２０…ルータ
【図１】
2014149384.tif 000003
【図２】
2014149384.tif 000004
【図３】
2014149384.tif 000005
【図４】
2014149384.tif 000006
【図５】
2014149384.tif 000007
【図６】
2014149384.tif 000008
【図７】
2014149384.tif 000009
【図８】
2014149384.tif 000010
【図９】
2014149384.tif 000011
【図１０】
2014149384.tif 000012
【図１１】
2014149384.tif 000013
【図１２】
2014149384.tif 000014
【図１３】
2014149384.tif 000015
【図１４】
2014149384.tif 000016
【図１５】
2014149384.tif 000017
【図１６】
2014149384.tif 000018